(57)【要約】【課題】携帯端末による監視データの取得を効率よく、無駄を無くす。【解決手段】監視制御対象を監視および制御する監視制御装置１と、監視制御対象の状態変化を監視制御装置から通知されるＷｅｂサーバ２と、Ｗｅｂサーバにインターネットを介して監視データ要求して取得する監視アプリケーション手段４Ｂを有する携帯端末４とを備えた監視制御システムにおいて、携帯端末は、Ｗｅｂサーバから監視制御対象の状態変化の通知をメールで受信し、この受信で監視アプリケーション手段を起動するメーラー４Ｄを設ける。Ｗｅｂサーバは監視データおよびその状態変化監視タイマ値を監視アプリケーション手段に送信し、監視アプリケーション手段は取得した監視データを画面表示すると共に、タイマ値をタイマに設定しておき、このタイマのタイムアップで監視データ要求の再起動を行うことも含む。【選択図】  図１
2004295447.tif 000002
【特許請求の範囲】
【請求項１】
監視制御対象を監視および制御する監視制御装置と、前記監視制御装置に付設され、監視制御対象の状態変化を前記監視制御装置から通知されるＷｅｂサーバと、前記Ｗｅｂサーバにインターネットを介して監視データ要求し、前記監視制御装置が非同期で更新する監視データを前記Ｗｅｂサーバを介して取得する監視アプリケーション手段を有する携帯端末とを備えた監視制御システムにおいて、
前記携帯端末は、前記Ｗｅｂサーバから監視制御対象の状態変化の通知をＵＲＬが記載されたメールで受信し、このメール受信で前記監視アプリケーションが前記監視データを取得するための起動を指示するメーラーを備えたことを特徴とする監視制御システム。
【請求項２】
監視制御対象を監視および制御する監視制御装置と、前記監視制御装置に付設され、監視制御対象の状態変化を前記監視制御装置から通知されるＷｅｂサーバと、前記Ｗｅｂサーバにインターネットを介して監視データ要求し、前記監視制御装置が非同期で更新する監視データを前記Ｗｅｂサーバを介して取得する監視アプリケーション手段を有する携帯端末とを備えた監視制御システムにおいて、
前記Ｗｅｂサーバは、前記監視アプリケーション手段からの監視データ要求に対して、当該監視データおよびその状態変化監視タイマ値を前記監視制御装置から取得して前記監視アプリケーション手段に送信する手段を設け、
前記監視アプリケーション手段は、キー操作で起動され、前記Ｗｅｂサーバに対する監視データ要求で取得した監視データを画面表示すると共に、前記タイマ値をタイマに設定しておき、このタイマのタイムアップで監視データ要求の再起動を行う手段を備えたことを特徴とする監視制御システム。
【請求項３】
前記携帯端末は、前記Ｗｅｂサーバから監視制御対象の状態変化の通知をメールで受信するメーラーを備えたことを特徴とする請求項２に記載の監視制御システム。
【発明の詳細な説明】
【０００１】
【発明の属する技術分野】
本発明は、監視制御装置側からインターネットを利用して携帯端末に監視データを送信し、携帯端末の監視画面に表示可能にした監視制御システムに関する。
【０００２】
【従来の技術】
この種の監視制御システムにおいては、携帯端末はインターネット用アプリケーションの記述を簡単にするＪａｖａ（登録商標）言語を使ってソフトウェア構成し、監視制御装置は監視用Ｗｅｂサーバを介して携帯端末との通信を可能にしている。
【０００３】
この構成例を図３に示す。同図において、監視制御装置（または監視制御部）１に監視用Ｗｅｂサーバ２を付設し、このＷｅｂサーバ２により監視制御装置１のデータベース（ＤＢ）１Ａを参照可能とする。また、携帯端末３では公衆無線網及びインターネットを介して監視用Ｗｅｂサーバ２と通信可能とする。
【０００４】
上記構成において、携帯端末３が監視データを取得する手順は以下のようになる。
【０００５】
（Ｓ１）携帯端末３のキー３Ａにより監視画面表示を指示して監視用Ｊａｖａアプリケーション（以後、監視アプリと略す）３Ｂを起動する。
【０００６】
（Ｓ２）監視アプリ３Ｂは、Ｗｅｂサーバ２の監視用Ｗｅｂアプリケーション（以後、監視Ｗｅｂアプリと略す）２Ａに監視データを要求する。
【０００７】
（Ｓ３）この要求で、監視Ｗｅｂアプリ２Ａはデータベース１Ａから監視データを読み込む。
【０００８】
（Ｓ４）監視Ｗｅｂアプリ２Ａは取得した監視データを監視アプリ３Ｂに送信する。
【０００９】
（Ｓ５）監視データを受信した監視アプリ３Ｂは電力系統図などを監視画面３Ｃに表示する。
【００１０】
なお、監視制御装置１の監視・制御タスク１Ｂは、携帯端末やＷｅｂサーバの処理動作とは非同期に、実際の監視対象設備の状態変化に従ってデータベース１Ａの監視制御データを更新する。
【００１１】
上記の監視データの取得要求方法は、端末操作者が任意に携帯端末のキーを操作する方法となる。この他、携帯端末に内蔵のタイマーにより一定時間間隔で自動的に要求する方法がある（例えば、特許文献１参照）。
【００１２】
一方、Ｗｅｂサーバ２は、携帯端末３から監視データの要求があるたびに当該データをデータベース１Ａから取得して送信する方法の他、Ｗｅｂサーバ２が携帯端末３からの監視データ要求を登録しておき、監視制御装置１が監視対象設備に状態変化が発生したときにこれをＷｅｂサーバ２に通知し、Ｗｅｂサーバ２では、状態変化が発生した監視データについて携帯端末からの要求が登録されているときに、当該携帯端末に送信する方法がある（例えば、特許文献２参照）。
【００１３】
【特許文献１】
特開２００１−２８２６７２
【００１４】
【特許文献２】
特開２００２−９９９７５
【００１５】
【発明が解決しようとする課題】
前記のとおり、監視制御装置１は、実際の監視対象設備の状態変化に従って非同期にデータベース１Ａを更新している。この状態変化を携帯端末３の監視画面でリアルタイムに監視しようとする場合、以下の方式が考えられる。
【００１６】
（１）端末操作者が監視画面の表示指示キーを短時間周期で何回もくり返し押下し、監視画面の再表示を繰り返す。この間に監視データが更新されていれば、監視画面に反映される。
【００１７】
（２）タイマーで監視画面の表示指示を一定の短時間周期で行い、監視画面の再表示を繰り返す。この間に監視データが更新されていれば、監視画面に反映される。
【００１８】
上記の両方式では、以下の問題がある。
【００１９】
（Ａ）実際の状変の有無にかかわらず、携帯端末３とＷｅｂサーバ２との間で送受信を繰り返すため、無駄なパケット通信費が嵩むことになり、非効率かつ不経済である。
【００２０】
（Ｂ）短周期で画面の再表示を繰り返すため、端末画面がちらつき、見にくくくなる。
【００２１】
（Ｃ）短周期でＷｅｂサーバをアクセスするため、Ｗｅｂサーバの負荷が高くなり、他の携帯端末の要求にスムーズに応答できなくなる。
【００２２】
（Ｄ）端末操作者が繰返しキー操作する方法では、労力が多く操作性が悪い。
【００２３】
このような問題があるにもかかわらず、上記方式を採用しなければならないのは、携帯端末用のＪａｖａアプリケーションの制約による。すなわち、携帯端末用のＪａｖａアプリケーションではセキュリティ等の理由により、通常のＪａｖａアプリケーション仕様に比べ、色々な制限が加えられている。
【００２４】
特に、上記のリアルタイム機能については、イベント受信がポイントになるが、携帯Ｊａｖａアプリケーションで受信可能なイベントは主にキーとタイマーしか許されていない。従って、キー起動、タイマー起動により監視アプリを動作させる方式を取らざるを得ないのである。
【００２５】
本来ならば監視制御装置やＷｅｂサーバからデータベースの状態変化の通知を携帯端末に送信し、その受信イベントによりアプリを起動するのが最良の方式であるが、それができないのである。
【００２６】
なお、監視制御装置１の監視データ処理方法として、特許文献２のように、携帯端末から取得要求がある監視データに状態変化があったときのみ送信する場合、携帯端末からの繰り返し要求に対して、状態が変化しない限り無応答とするか、状態変化無しの応答をすることになる。前者の無応答では、携帯端末側では通信機能障害など、監視データが得られないのは状態変化無しか他の要因によるものかを区別できない。また、後者の状態変化無しの応答では、前記の（Ａ）〜（Ｄ）の問題が残る。
【００２７】
本発明の目的は、上記の課題を解決した監視制御システムを提供することにある。
【００２８】
【課題を解決するための手段】
本発明は、携帯端末にはｉモードメール転送ができるメーラー機能を搭載し、メーラーがそのＵＲＬを記載したメールを受信することで監視操作員に状態変化通知ができるようにしておく。そして、監視制御装置は状態変化が発生したときに監視用Ｗｅｂサーバに通知し、監視用Ｗｅｂサーバから監視アプリケーションのＵＲＬを記入した状態変化メールを携帯端末に通知し、携帯端末側では当該メールの受信で監視アプリケーションを起動することで監視データの取得と監視画面表示を行うようにする。
【００２９】
また、本発明は、携帯端末には監視アプリケーションの起動を可能にしたタイマ機能を搭載しておき、携帯端末では、最初のキー起動による監視データの取得時に、監視データに加えて監視制御装置に予め設定される状態変化監視タイマ値を取得し、監視画面表示と共にタイマ値をタイマに設定しておき、タイマのタイムアップ時に監視アプリケーションを再起動することで監視データの取得と監視画面表示を行うようにする。
【００３０】
以上のことから、本発明は、以下の構成を特徴とする。
【００３１】
（１）監視制御対象を監視および制御する監視制御装置と、前記監視制御装置に付設され、監視制御対象の状態変化を前記監視制御装置から通知されるＷｅｂサーバと、前記Ｗｅｂサーバにインターネットを介して監視データ要求し、前記監視制御装置が非同期で更新する監視データを前記Ｗｅｂサーバを介して取得する監視アプリケーション手段を有する携帯端末とを備えた監視制御システムにおいて、
前記携帯端末は、前記Ｗｅｂサーバから監視制御対象の状態変化の通知をＵＲＬが記載されたメールで受信し、このメール受信で前記監視アプリケーションが前記監視データを取得するための起動を指示するメーラーを備えたことを特徴とする。
【００３２】
（２）監視制御対象を監視および制御する監視制御装置と、前記監視制御装置に付設され、監視制御対象の状態変化を前記監視制御装置から通知されるＷｅｂサーバと、前記Ｗｅｂサーバにインターネットを介して監視データ要求し、前記監視制御装置が非同期で更新する監視データを前記Ｗｅｂサーバを介して取得する監視アプリケーション手段を有する携帯端末とを備えた監視制御システムにおいて、
前記Ｗｅｂサーバは、前記監視アプリケーション手段からの監視データ要求に対して、当該監視データおよびその状態変化監視タイマ値を前記監視制御装置から取得して前記監視アプリケーション手段に送信する手段を設け、
前記監視アプリケーション手段は、キー操作で起動され、前記Ｗｅｂサーバに対する監視データ要求で取得した監視データを画面表示すると共に、前記タイマ値をタイマに設定しておき、このタイマのタイムアップで監視データ要求の再起動を行う手段を備えたことを特徴とする。
【００３３】
（３）前記携帯端末は、前記Ｗｅｂサーバから監視制御対象の状態変化の通知をメールで受信するメーラーを備えたことを特徴とする。
【００３４】
【発明の実施の形態】
（実施形態１）メール起動方式
図１は、本実施形態を示すシステム構成図であり、図３と同等の部分は同一符号で示す。
【００３５】
携帯端末４は、図３の携帯端末と同様に、キー４Ａと監視アプリ４Ｂと監視画面４Ｃの機能を搭載する。この他に、ＤｏＣｏＭｏ（登録商標）の５０４シリーズのように、ｉモードメール転送機能をもつメーラー４Ｄの機能を搭載する。これにより、携帯端末４は、ＵＲＬ（ユニバーサル・リソース・ロケータ）を記載したメールをメーラー４Ｄで受信し、監視データの状態変化を監視操作員に通知できるようにしておく。
【００３６】
監視制御装置１は状態変化が発生したときは、これを監視用Ｗｅｂサーバ２Ａに通知し、監視用Ｗｅｂサーバ２は監視アプリ４ＢのＵＲＬを記入したメールを携帯端末４に送信し、携帯端末４は当該メールから監視アプリ４ＢのＵＲＬを指示されることで、監視データを取得して監視画面４Ｃに表示する。
【００３７】
本実施形態による監視データの取得手順は以下のようになる。
【００３８】
（Ｓ１）監視制御装置１の監視・制御タスク１Ｂでは実際の監視対象設備の状態変化があると、データベース１Ａの該当するデータを更新する。
【００３９】
（Ｓ２）監視・制御タスク１Ｂは、監視用Ｗｅｂサーバ２の監視用Ｗｅｂアプリ２Ａに状態変化発生を通知する。
【００４０】
（Ｓ３）Ｗｅｂアプリ２Ａは、メールに監視アプリ４ＢのＵＲＬを記載して、端末４のメーラー４Ｄに送信する。
【００４１】
（Ｓ４）メールを受け取った端末操作者が当該メールのＵＲＬをキー４Ａで指示することで、監視アプリ４Ｂが起動する。
【００４２】
（Ｓ５）起動した監視アプリ４ＢはＷｅｂサーバ２に監視データを要求する。
【００４３】
（Ｓ６）監視データの要求を受けたＷｅｂアプリ２Ａは、データベース１Ａから監視データを読み込む。
【００４４】
（Ｓ７）Ｗｅｂアプリ２Ａは、読み込んだ監視データを監視アプリ４Ｂに送信する。
【００４５】
（Ｓ８）監視データを受信した監視アプリ４Ｂは、電力系統図などを監視画面４Ｃに表示する。
【００４６】
したがって、本実施形態では、監視データが状態変化したことをメール送信し、これにより状態変化した監視データを送受信するため、携帯端末とＷｅｂサーバ間の無駄なパケット通信費を費やさず、効率的かつ経済的となる。また、ＷｅｂサーバではＷｅｂアプリの負荷が低く、他の携帯端末の要求にもスムーズに応答できる。
【００４７】
また、携帯端末では、無駄な画面のちらつきがなく見やすいものになるし、端末操作者が状態変化メールの受信時のみキー操作すれば良いので労力が少なくて済み、操作性は問題とならない。
【００４８】
（実施形態２）タイマー起動方式
図２は、本実施形態を示すシステム構成図であり、図３と同等の部分は同一符号で示す。
【００４９】
携帯端末５は、図３または図１の携帯端末と同様に、キー５Ａと監視アプリ５Ｂと監視画面５Ｃの機能を搭載する。この他に、状態変化監視タイマ５Ｄを搭載し、監視アプリ５Ｂによりタイマ５Ｄにタイマ値を設定可能にする。
【００５０】
これにより、本実施形態は、携帯端末５では、最初のキー起動による監視データの取得時に、監視データに加えて状態変化監視タイマ値も取得し、監視画面表示と共にタイマ設定しておき、タイマ５Ｄのタイムアップ時にはキー起動時と同様に監視アプリ５Ｂを起動して監視データの取得と画面再表示を可能にする。
【００５１】
本実施形態による監視データの取得手順は以下のようになる。
【００５２】
（Ｓ１）初回は携帯端末５のキー５Ａの操作により監視画面表示を指示して監視アプリ５Ｂを起動する。
【００５３】
（Ｓ２）監視アプリ５Ｂは、Ｗｅｂサーバ２に監視データを要求する。
【００５４】
（Ｓ３）監視データが要求されたＷｅｂアプリ２Ａは、データベース１Ａから監視データを取得すると共に、状態変化監視タイマ値を読み込む。
【００５５】
なお、状態変化監視タイマは、従前から監視制御装置の監視・制御タスク１Ｂの機能として用意されるものである。例えば、監視制御装置は、対象設備に対して制御を行うと、当該設備から応答や状態変化を待つ。その際、その想定される最大待ち時間をタイマ設定し、タイムアップしても上がって来なければ失敗したと判断するものとして設ける。また、電力系統の監視制御システムでは、事故などにより突然しゃ断器のＯＦＦ信号が上がってくると、系統の再閉路方式では当該しゃ断器の自動ＯＮの状態変化信号が上がってくるのを所定のタイマ設定で待つ。そして、タイムアップしても信号が上がって来なければ再閉路失敗したと判断する。このような一連の事故の現象を判定するためのタイマを状変監視タイマと呼び、その値はデータベース１Ａ等に書き込まれている。
【００５６】
（Ｓ４）Ｗｅｂアプリ２Ａは、読み込んだ監視データと状態変化監視タイマ値を監視アプリ５Ｂに送信する。
【００５７】
（Ｓ５）監視アプリ５Ｂは、送信された状態変化監視タイマ値をタイマ５Ｄに設定する。
【００５８】
（Ｓ６）Ｗｅｂアプリ５Ｂは、送信された監視データにより電力系統図などを監視画面５Ｃに表示させる。
【００５９】
（Ｓ７）タイマ５Ｄはタイムアップすると、監視画面表示を指示して監視アプリを起動する。この起動では、上記の（Ｓ１）〜（Ｓ７）を１回処理して監視データの要求と取得および画面表示をするか、またはタイマ５Ｄに設定された周期で繰り返し処理して監視データの要求と取得および画面表示を繰り返す。
【００６０】
したがって、本実施形態では、監視制御装置側で予め設定される状態変化監視タイマ値を基にして監視データを送受信するため、メール方式と同等の作用効果を得ることができる。
【００６１】
これに加えて、状態変化タイムアップ時に自動的に画面再表示が行われるため、各監視データに設定される状態変化監視タイマ値に達したときの監視データを取得するのに、端末操作者は労力を必要とせず操作性は非常に良くなる。しかも、通常の監視制御では、そのタイマ値に達した時刻では、監視データに状態変化が発生していることから、それを確実に画面表示できる。
【００６２】
なお、本実施形態においては、実施形態１と同様のメーラー機能を設け、最初の監視データ要求を状態変化通知メールの受信で行うこともできる。
【００６３】
【発明の効果】
以上のとおり、本発明によれば、状態変化時のみメール通知またはタイマ起動により監視データの送受信を行うようにしたため、以下の効果がある。
【００６４】
（１）無駄なパケット通信費を費やさず、効率的かつ経済的である。
【００６５】
（２）無駄な画面のちらつきがなく見やすいものとなる。
【００６６】
（３）Ｗｅｂサーバの負荷が低く、他の携帯端末の要求にもスムーズに応答できる
（４）端末操作者が状態変化メール受信時のみキー操作すれば良いので労力が少なくて済み、操作性は問題とならない。
【００６７】
（５）端末操作者は状態変化タイムアップ時に自動的に画面再表示が行われるので、労力を必要とせず操作性は非常に良い。
【図面の簡単な説明】
【図１】本発明の実施形態１を示すメール起動による監視方式の構成図。
【図２】本発明の実施形態２を示すタイマ起動による監視方式の構成図。
【図３】従来のキー起動による監視方式の構成図。
【符号の説明】
１…監視制御装置
２…監視用Ｗｅｂサーバ
３、４、５…携帯端末
１Ａ…データベース
１Ｂ…監視・制御タスク
２Ａ…監視用Ｗｅｂアプリケーション
３Ａ、４Ａ、５Ａ…キー
３Ｂ、４Ｂ、５Ｂ…監視アプリケーション
３Ｃ、４Ｃ、５Ｃ…監視画面
４Ｄ…メーラー
５Ｄ…タイマ
【図１】
2004295447.tif 000003
【図２】
2004295447.tif 000004
【図３】
2004295447.tif 000005